(57)【要約】【課題】良質な画像データと画像データの属性情報を別々に同時に表示し、少ない入力操作回数で画像データの表示又は属性情報の変更を容易に行うことできるフォトアルバムコントローラを提供することを目的とする。【解決手段】フォトアルバムコントローラ１は、画像データ２を表示する画像表示画面３と、属性情報４を表示する属性情報表示画面５と、画像データ２の表示及び属性情報４の変更を操作するリモートコントローラ１２とを備える。ユーザは、第１操作キー群１２１を用いて入力操作回数の少ない簡単な操作でユーザにより変更されたフォルダ名又は自動的に変更された撮影日付を視認しつつ良質な画像データ２を鑑賞することができる。さらに、フォトアルバムコントローラ１は、第３操作キー群１２３を用いてスライドショーが設定されることにより、画像データ２及び属性情報５に加え、撮影時の詳細な状況や感想等を文章３６で鑑賞することができる。【選択図】図１２
2009157061.tif 000002
【特許請求の範囲】
【請求項１】
画像データを表示する表示手段と、ユーザによって文字情報または操作命令が入力される入力手段と、装置全体を制御部と、装置全体を制御する制御プログラムを記憶する主記憶部と、を備えたフォトアルバムコントローラにおいて、
前記画像データが記録されたメモリカードが挿入されるメモリカードスロットを備え、
前記入力手段は、前記フォトアルバムコントローラと脱着可能であって、該フォトアルバムコントローラへの電源の供給を制御する電源ボタンを備え、該フォトアルバムコントローラと有線または無線によって通信を行い、
前記表示手段は、前記画像データを表示する第１の表示画面と、前記メモリカードに保持されているフォルダのフォルダ名、または前記画像データに付与されている撮影日時を属性情報として表示する第２の表示画面と、を備え、
前記制御部は、
前記メモリカードスロットに前記メモリカードが挿入されると、該メモリカードに保持されている所定のフォルダに付与されているフォルダ名が、Ｅｘｉｆ（Ｅｘｃｈａｎｇｅａｂｌｅ  Ｉｍａｇｅ  Ｆｉｌｅ  Ｆｏｒｍａｔ）機能によって付与されるフォーマット形式と一致しているか否かを判定し、
該フォルダ名のフォーマット形式が一致していないと判定すると、該フォルダ名を前記第２の表示画面に表示させ、該所定のフォルダ内に保持されている所定の画像データを前記第１の表示画面に表示させ、
該フォルダ名のフォーマット形式が一致すると判定すると、該所定のフォルダ内に保持されている所定の画像データに付与されている撮影日時が、Ｅｘｉｆ機能によって付与されるフォーマット形式と一致しているか否かを判定し、
該撮影日時のフォーマット形式が一致していないと判定すると、該撮影日時を前記第２の表示画面に表示させ、該所定の画像データを前記第１の表示画面に表示させ、
該撮影日時のフォーマット形式が一致していると判定すると、該撮影日時を文字「年」、「月」、「日」、「時」、「分」、または「秒」を用いた表示に変換し、この変換した撮影日時を新たな撮影日時として該所定の画像データに付与し、該新たな撮影日時を前記第２の表示画面に表示させ、該所定の画像データを前記第１の表示画面に表示させることを特徴としたフォトアルバムコントローラ。
【請求項２】
前記制御部は、前記第１の表示画面が前記所定の画像データを表示し、前記第２の表示画面が前記属性情報を表示させているとき、前記電源ボタンが押下されると、前記主記憶部に、該画像データ及び該属性情報を関連付けて最終表示状態として記憶させた後に、前記フォトアルバムコントローラへ電源の供給を停止し、その後、該電源ボタンが押下されたことに応じてフォトアルバムコントローラへ電源の供給を開始すると、該最終表示状態に基づいて、該画像データ及び該属性情報を該第１の表示画面及び該第２の表示画面に表示させることを特徴とした請求項１に記載のフォトアルバムコントローラ。
【請求項３】
前記入力手段は、前記フォトアルバムコントローラに対して、文字および操作命令を入力するための十字キー（Ａｒｒｏｗ  Ｋｅｙ）と、ＡＮＫキー（Ａｌｐｈａｂｅｔ  Ｎｕｍｅｒｉｃ  Ｋａｎａ  Ｋｅｙ）と、ファンクションキー（Ｆｕｎｃｔｉｏｎ  Ｋｅｙ）と、テンキー（Ｔｅｎ  Ｋｅｙ）のいずれかをさらに備え、
前記第１の表示画面は、前記入力手段を介して操作命令が入力されることに応じて、前記フォルダ名を変更するためのフォルダ名変更画面、またはユーザによって任意のコメントが入力され、該コメントと前記画像データとを関連付けるためのコメント付与画面を表示し、
前記制御部は、前記第１の表示画面が前記フォルダ名変更画面を表示しているとき、前記入力手段を介して文字または操作命令が入力されたことに応じて、前記フォルダ名を変更し、この変更したフォルダ名を新たにフォルダ名として前記メモリカードに記憶させ、
該第１の表示画面が前記コメント付与画面を表示しているとき、該入力手段を介して文字または操作命令が入力されたことに応じて、入力された前記コメントと前記画像データとを関連付けてスライドショーとして該メモリカードに記憶させることを特徴とした請求項１または請求項２に記載のフォトアルバムコントローラ。
【請求項４】
前記入力手段は、さらに、前記アルバム集を再生するためのアルバム集自動再生ボタンと、前記スライドショーを再生するスライドショー自動再生ボタンと、をさらに備え、
前記制御部は、前記アルバム集自動再生ボタンが押下されたことに応じて、前記メモリカードに保持されている全ての前記フォルダ名を前記第１の表示画面に表示させ、さらに該アルバム集自動再生ボタンが押下された回数に応じて該フォルダ名を選択し、その後、所定の時間該アルバム集自動再生ボタンが押下されないことに応じて、選択された該フォルダ名を付与された前記フォルダ内に保持されている前記画像データを、順次一定の間隔で前記第１の表示画面に表示させ、
前記スライドショー自動再生ボタンが押下されたことに応じて、前記メモリカードに関連付けて記憶されている前記コメントと前記画像データとを同時に前記第１の表示画面に表示させることを特徴とした請求項１乃至請求項３のいずれか一項に記載のフォトアルバムコントローラ。
【請求項５】
前記フォトアルバムコントローラは、第１のメモリカードスロットと第２のメモリカードスロットをさらに備え、
前記制御部は、前記第１のメモリカードスロットに第１のメモリカードが、前記第２のメモリカードスロットに第２のメモリカードが、それぞれ挿入されている場合であって、該第１のメモリカードが保持する第１フォルダのフォルダ名と、該第２のメモリカードが保持する第２フォルダのフォルダ名とが同一であるとき、該第１フォルダと該第２フォルダを論理的に１つのフォルダであると判断して、該第１のフォルダ、該第２のフォルダ、該第１フォルダ内に保持されている画像データ、及び該第２フォルダ内に保持されている画像データを制御することを特徴とした請求項１乃至４のいずれか一項に記載のフォトアルバムコントローラ。
【発明の詳細な説明】
【技術分野】
【０００１】
本発明は、画像データと画像データの属性情報を表示し、容易に所望する画像データを表示することができ、さらには属性情報を容易に変更できるフォトアルバムコントローラに関する。
【背景技術】
【０００２】
近年、高精細のデジタルカメラと大型テレビの普及により、デジタルカメラで撮影した画像データを大型テレビで鑑賞するユーザが増加している。デジタルカメラの普及に伴い、ユーザは大量の画像データを保持するようになった。そこで、ユーザは、パソコンを用いて各画像データに任意の属性情報を付加することによって、大量の画像データを整理している。しかし、パソコンを所有しないユーザやパソコン操作が苦手なユーザは、画像データに任意の属性情報を容易かつ迅速に付加することが出来ず、かつ少ない入力操作回数で、良質な画像データと属性情報を同時に表示させ、鑑賞することが出来なかった。【０００３】
そこで、例えば、家庭用テレビに画像データを表示することができる電子アルバム装置が知られている（例えば、特開２００２−６６７９４号公報参照）。【０００４】
しかしながら、このような電子アルバム装置においては、画像データをテレビに表示することができるが、部屋やオフィスにおいてテレビを用いることなく手軽に画像データを表示させることができなかった。【０００５】
また、画面に表示されたキーボードを用いて属性情報を入力する電子アルバム装置が知られている（例えば、特開平７−２８２０７７号公報参照）。【０００６】
しかしながら、このような電子アルバム装置においては、ユーザは、属性情報を入力するためには画面に表示されたキーボードの任意のキーをカーソルで指示しなければならないため、操作が煩雑になるという問題があった。また、これらの電子アルバム装置においては、画像データと属性情報を別画面に表示することができなかった。さらに、これらの電子アルバム装置においては、物理的に異なるメモリカードに記憶されているフォルダを条件に応じて論理的に１つのフォルダとして取り扱うことができなかった。
【発明の開示】
【０００７】
本発明は、上記の問題を解決するためになされたものであり、所定の属性情報を自動的に変換してテレビを用いることなく少ない入力操作回数で、良質な画像データと属性情報を別画面に同時に表示させ、予め定められた画像データを容易かつ迅速に再生することができ、さらには、物理的に異なるメモリカードに記憶されているフォルダを条件に応じて論理的に１つのフォルダとして取り扱うことが可能なフォトアルバムコントローラを提供することを目的とする。
【０００８】
上記目的を達成するために本発明は、画像データを表示する表示手段と、ユーザによって文字情報または操作命令が入力される入力手段と、装置全体を制御部と、装置全体を制御する制御プログラムを記憶する主記憶部と、を備えたフォトアルバムコントローラにおいて、画像データが記録されたメモリカードが挿入されるメモリカードスロットを備え、入力手段は、フォトアルバムコントローラと脱着可能であって、フォトアルバムコントローラへの電源の供給を制御する電源ボタンを備え、フォトアルバムコントローラと有線または無線によって通信を行い、表示手段は、画像データを表示する第１の表示画面と、メモリカードに保持されているフォルダのフォルダ名、または画像データに付与されている撮影日時を属性情報として表示する第２の表示画面と、を備え、制御部は、メモリカードスロットにメモリカードが挿入されると、メモリカードに保持されている所定のフォルダに付与されているフォルダ名が、Ｅｘｉｆ機能によって付与されるフォーマット形式と一致しているか否かを判定し、フォルダ名のフォーマット形式が一致していないと判定すると、フォルダ名を第２の表示画面に表示させ、所定のフォルダ内に保持されている所定の画像データを第１の表示画面に表示させ、フォルダ名のフォーマット形式が一致すると判定すると、所定のフォルダ内に保持されている所定の画像データに付与されている撮影日時が、Ｅｘｉｆ機能によって付与されるフォーマット形式と一致しているか否かを判定し、撮影日時のフォーマット形式が一致していないと判定すると、撮影日時を第２の表示画面に表示させ、所定の画像データを第１の表示画面に表示させ、撮影日時のフォーマット形式が一致していると判定すると、撮影日時を文字「年」、「月」、「日」、「時」、「分」、または「秒」を用いた表示に変換し、この変換した撮影日時を新たな撮影日時として所定の画像データに付与し、新たな撮影日時を第２の表示画面に表示させ、所定の画像データを第１の表示画面に表示させる。
【０００９】
本発明によれば、制御部は、メモリカードに保持されているフォルダのフォルダ名がＥｘｉｆ機能によって付与されるフォーマット形式と一致するか否かに応じて、フォルダ名がユーザによって任意に付与されたものであるか否かを判断する。本発明において、「Ｅｘｉｆ機能によって付与されるフォーマット形式」とは、デジタルカメラで撮影された画像ファイルを扱う様々な機器間で、再生互換を可能にするためのフォーマット形式である。具体的には１９９９年から本発明出願日以前に規格化された最新の規格（２００２年４月制定JEITA  CP-3451デジタルスチルカメラ用画像ファイルフォーマット規格Exif２．２Exchangeable image file format for digital still camerasと２００３年９月制定、JEITA CP-3461カメラファイルシステム規格DCF2.0、Design rule for Camera File system）で定められたフォーマット形式のことである。制御部は、フォルダ名がユーザによって任意に付与されたものであるとき、このフォルダ名を第２の表示画面に表示させる。また、制御部は、フォルダ名がユーザによって任意に付与されたものではないとき、このフォルダ内に保持されている画像データの撮影日時を、文字「年」、「月」、「日」、「時」、「分」、または「秒」を用いて第２の表示画面に表示させる。これにより、ユーザは、第１の表示画面に表示された良質な画像データを鑑賞しながら、任意に付与されたフォルダ名や文字を用いて表された撮影日時を視認することにより、画像データの内容及び画像データが撮影された状況を容易に知ることができる。
【００１０】
また、本発明は、上述の改良された発明において、制御部は、第１の表示画面が所定の画像データを表示し、第２の表示画面が属性情報を表示させているとき、電源ボタンが押下されると、主記憶部に、画像データ及び属性情報を関連付けて最終表示状態として記憶させた後に、フォトアルバムコントローラへ電源の供給を停止し、その後、電源ボタンが押下されたことに応じてフォトアルバムコントローラへ電源の供給を開始すると、最終表示状態に基づいて、画像データ及び属性情報を第１の表示画面及び第２の表示画面に表示させる。
【００１１】
本発明によれば、制御部は、フォトアルバムコントローラの電源が落とされる直前に第１の表示画面及び第２の表示画面が表示している画像データ及び属性情報を主記憶部に記憶させる。制御部は、フォトアルバムコントローラに電源の供給を開始すると、電源が落とされる直前に表示されていた画像データ及び属性情報を第１の表示画面及び第２の表示画面に表示させる。これにより、ユーザは、フォトアルバムコントローラの使用開始時に、前回、フォトアルバムコントローラの電源が落とされる直前に表示されていた良質な画像データ及び属性情報を、ワンボタン操作という極めて簡単な入力操作で視認し、鑑賞することができる。
【００１２】
また、本発明は、上述の改良された発明において、入力手段は、フォトアルバムコントローラに対して、文字および操作命令を入力するための十字キーと、ＡＮＫキーと、ファンクションキーと、テンキーのいずれかをさらに備え、第１の表示画面は、入力手段を介して操作命令が入力されることに応じて、フォルダ名を変更するためのフォルダ名変更画面、またはユーザによって任意のコメントが入力され、コメントと画像データとを関連付けるためのコメント付与画面を表示し、制御部は、第１の表示画面がフォルダ名変更画面を表示しているとき、入力手段を介して文字または操作命令が入力されたことに応じて、フォルダ名を変更し、この変更したフォルダ名を新たにフォルダ名としてメモリカードに記憶させ、第１の表示画面がコメント付与画面を表示しているとき、入力手段を介して文字または操作命令が入力されたことに応じて、入力されたコメントと画像データとを関連付けてスライドショーとしてメモリカードに記憶させる。
【００１３】
本発明によれば、ユーザは、入力手段を用いてメモリカードに保持されているフォルダのフォルダ名を変更することができ、さらに画像データに対しキーワードや文章などのコメントを付与することができる。また、ユーザは、入力手段を用いてお気に入りの所定のフォルダをアルバム集と設定することができる。
【００１４】
また、本発明は、上述の改良された発明において、入力手段は、さらに、アルバム集を再生するためのアルバム集自動再生ボタンと、スライドショーを再生するスライドショー自動再生ボタンと、をさらに備え、制御部は、アルバム集自動再生ボタンが押下されたことに応じて、メモリカードに保持されている全てのフォルダ名を前記第１の表示画面に表示させ、さらにアルバム集自動再生ボタンが押下された回数に応じてフォルダ名を選択し、その後、所定の時間アルバム集自動再生ボタンが押下されないことに応じて、選択されたフォルダ名を付与されたフォルダ内に保持されている画像データを、順次一定の間隔で第１の表示画面に表示させ、スライドショー自動再生ボタンが押下されたことに応じて、メモリカードに関連付けて記憶されているコメントと画像データとを同時に第１の表示画面に表示させる。
【００１５】
本発明によれば、ユーザは、アルバム集自動再生ボタンを押下することにより、アルバム集として設定された所定のフォルダ内に保持されている画像データを一定の間隔で順番に第１の表示画面に表示させることができる。また、ユーザは、スライドショー自動再生ボタンを押下することにより、画像データ及び画像データに付与されているコメントを同時に第１の表示画面に表示させることができる。
【００１６】
また、本発明は、上述の改良された発明において、フォトアルバムコントローラは、第１のメモリカードスロットと第２のメモリカードスロットをさらに備え、制御部は、第１のメモリカードスロットに第１のメモリカードが、第２のメモリカードスロットに第２のメモリカードが、それぞれ挿入されている場合であって、第１のメモリカードが保持する第１フォルダのフォルダ名と、第２のメモリカードが保持する第２フォルダのフォルダ名とが同一であるとき、第１フォルダと第２フォルダを論理的に１つのフォルダであると判断して、第１のフォルダ、第２のフォルダ、第１フォルダ内に保持されている画像データ、及び第２フォルダ内に保持されている画像データを制御する。
【００１７】
本発明によれば、制御部は、第１のメモリカードと第２のメモリカードがそれぞれ保持するフォルダのフォルダ名が同一であるとき、これらのフォルダを論理的に１つのフォルダとして取り扱う。これにより、ユーザは、物理的に異なるメモリカードに保持されている複数のフォルダをまとめてアルバム集として設定することができる。
【図面の簡単な説明】
【００１８】
【図１】本実施形態に係るフォトアルバムコントローラの外観図。
【図２】本実施形態に係るフォトアルバムコントローラの構成図。
【図３】本実施形態に係るリモートコントローラの外観図
【図４】本実施形態に係る第１操作キー群の外観図。
【図５】本実施形態に係る第２操作キー群の外観図。
【図６】本実施形態に係る第３操作キー群の外観図。
【図７】（ａ）（ｂ）は画像データ及び属性情報が表示された状態を示す図。
【図８】本実施形態に係る画像表示画面が画像データを表示する表示処理のフローチャート。
【図９】本実施形態に係るメモリカードにおけるフォルダ構成を示す図。
【図１０】本実施形態に係るアルバム集自動再生ボタンが押下されたときの画像表示画面の状態を示す図。
【図１１】本実施形態に係る画像表示画面がアルバム集を再生するアルバム集再生処理のフローチャート。
【図１２】本実施形態に係るスライドショー自動再生ボタンが押下されたときの画像表示画面の状態を示す図。
【図１３】本実施形態に係る画像表示画面がスライドショーを再生するスライドショー再生処理のフローチャート。
【図１４】本実施形態に係るＭＥＮＵボタンが押下されたときの画像表示画面の状態を示す図。
【図１５】本実施形態に係るフォルダ名変更画面の状態を示す図。
【図１６】本実施形態に係るスライドショータイトル設定画面の状態を示す図。
【図１７】本実施形態に係る文章入力画面の状態を示す図。
【発明を実施するための最良の形態】
【００１９】
以下、本発明の実施形態に係るフォトアルバムコントローラについて、図面を参照して説明する。図１は、本発明の実施形態に係るフォトアルバムコントローラの外観を示す。フォトアルバムコントローラ１は、略直方体形状の筐体の一面に画像データ２を表示する液晶画面によって構成され画像表示画面３（第１の表示画面）と、画像データ２の属性情報４を表示する属性情報表示画面５（第２の表示画面）と、メモリカードスロット６乃至８と、ＵＳＢ端子９と、通信線端子１０と、スピーカー１１と、フォトアルバムコントローラ１を操作するために用いられるリモートコントローラ１２（入力手段）からのリモコン信号を受信するリモコン信号受信部１３とを備える本体部１４と、本体部１４と脱着可能なリモートコントローラ１２とを備える。【００２０】
属性情報表示画面５は、画像表示画面３の下方に設けられており、画像データ２の属性情報４として、例えば、画像データ２が撮影された撮影日付、または画像データ２が保持されているフォルダ名を表示する。メモリカードスロット６乃至８には、ぞれぞれ、メモリカード６ａ乃至８ａが挿入される。ここで、メモリカード７ａはメモリスティック、メモリカード８ａはＳＤカード、メモリカード８ａはコンパクトフラッシュである。また、ＵＳＢ端子９は、ＵＳＢケーブルが挿入されることによりデジタルカメラやパソコン等の外部機器とデータ交換を行い、通信線端子１０は、ＬＡＮケーブルや電話回線を介してパソコンや携帯電話等と通信を行う。スピーカー１１は、本体部１４の左右に設けられており、メモリカード６ａ乃至８ａに保持されているオーディオを出力する。画像表示画面３は、例えば、官製はがきやＢ５ノートと同等の大きさに構成されており、フォトアルバムコントローラ１はユーザによって携帯可能である。また、フォトアルバムコントローラ１は、部屋やオフィスの机、出窓、または棚等に載置されることによって、アナログの写真が入れられた写真たてと同様に使用されるように構成されている。【００２１】
図２は、本実施形態に係るフォトアルバムコントローラ１の構成を示す。フォトアルバムコントローラ１は、装置全体を制御するＣＰＵ１５（制御部）と、装置全体を制御する制御プログラムを記憶する主記憶部１６と、メモリカード６ａ乃至８ａが保持する画像データ２についての信号を処理する画像信号処理部１７と、画像表示画面３を制御する画像表示画面制御部１８と、属性情報表示画面５を制御する属性情報表示画面制御部１９と、ＵＳＢ端子９を制御するＵＳＢ制御部２０と、通信線端子１０を制御する通信制御部２１と、メモリカードスロット６乃至８を制御するメモリカードスロット制御部２２と、メモリカード６ａ乃至８ａが保持するオーディオについての信号を処理するオーディオ信号処理部２３と、スピーカー１１を制御するオーディオ出力制御部２４と、フォトアルバムコントローラ１の電源２５を制御する電源制御部２６と、リモートコントローラ１２からのリモコン信号２７を受信するリモコン信号受信部１３と、複数の単語をタグとして記憶するタグ辞書部２８と、画像データ２を記憶する画像データ記憶部２９を備え、これらはバス３０に接続されている。タグ辞書部２８は、ユーザによって入力された単語をユーザタグとして記憶するユーザタグ辞書部２８ａと、予め設定された複数の単語を推薦タグとして記憶する推薦タグ辞書部２８ｂとを保持する。画像データ記憶部２９は、画像データ２を記憶する画像データ部２９ａと画像データ２の属性情報４を記憶する属性情報部２９ｂを保持する。また、リモートコントローラ１２は、リモコンボタン部３２が押下されたことに応じてリモコン信号２７をリモコン信号受信部１３に送信するリモコン信号送信部３３を備える。【００２２】
図３は、リモートコントローラ１２の外観を示す。リモートコントローラ１２は、３種類の操作ボタンで構成される第１操作キー群１２１と、１２種類の操作ボタンで構成される第２操作キー群１２２と、矢印キー及びテンキーで構成される第３操作キー群１２３とで構成される。図４は、第１操作キー群１２１の構成を示す。第１操作キー群１２１は、電源２５を制御するための電源ボタン１２１ａと、ユーザによって予めアルバム集として設定されたフォルダに保持されている画像データ２を再生するアルバム集自動再生ボタン１２１ｂと、ユーザによって予めスライドショーとして設定された画像データ２及び文字を再生するスライドショー自動再生ボタン１２１ｃとを備える。ユーザは、第１操作キー群１２１を操作することにより、少ない入力操作回数でありながら、極めて簡単に画像データ２を再生することができる。【００２３】
図５は、第２操作キー群１２２の構成を示す。第２操作キー群１２２は、画像データ２を画像表示画面３に表示させるフォトボタン１２２ａと、オーディオをスピーカー１１から出力させるミュージックボタン１２２ｂと、メモリカード６ａ乃至８ａに保持されたムービーを画像表示画面３及びスピーカー１１に再生させるムービーボタン１２２ｃと、ユーザによって予め設定されたスライドショーを再生するスライドショーボタン１２２ｄと、各種動作を停止させる停止ボタン１２２ｅと、画像表示画面３に時間を表示させる時計ボタン１２２ｆと、画像表示画面３にカレンダーを表示させるカレンダーボタン１２２ｇと、スピーカー１１から出力される音声を増大させる音声＋ボタン１２２ｈと、スピーカー１１から出力される音声を減少させる音声−ボタン１２２ｉと、スピーカー１１から音声が出力されないようにする消音ボタン１２２ｊと、押下された回数に応じて画像表示画面３に表示された画像データ２を右方向に９０度ずつ回転させる回転ボタン１２２ｋと、画像表示画面３に表示された画像データ２の中心部分を拡大表示させるズームボタン１２２ｌとを備える。ユーザは、第２操作キー群１２２を操作することにより、容易な操作でありながらフォトアルバムコントローラ１に対して多様な動作を行わせることが可能となる。【００２４】
図６は、第３操作キー群１２３の構成を示す。第３操作キー群１２３は、フォトアルバムコントローラ１を初期状態に戻すＨＯＭＥボタン１２３ａ（ファンクションキー）と、操作メニューを画像表示画面３に表示させるＭＥＮＵボタン１２３ｂ（ファンクションキー）と、ユーザが選択した命令を決定するＯＫボタン１２３ｃと、上下左右の方向を決定する十字ボタン１２３ｄと、フォトアルバムコントローラ１に対して行われた操作を１つ前の操作状態に戻すＢＡＣＫボタン１２３ｅ（ファンクションキー）と、操作に関する解説やヒントを画像表示画面３に表示させるＤＩＳＰボタン１２３ｆ（ファンクションキー）と、数字、記号、及び文字を入力するために用いられるＡＮＫキー１２３ｇとを備える。ユーザは、第３操作キー群１２３を操作することにより、所望するフォルダや画像データ２を選択することができる。また、ユーザは、ＡＮＫキー１２３ｇを操作することにより、メモリカード６ａ乃至８ａに保持されているフォルダ名を変更することができる。さらに、ユーザは、第３操作キー群１２３を操作することにより、所定のフォルダをアルバム集として設定することができる。ユーザによって、アルバム集が設定された後、アルバム集自動再生ボタン１２１ｂが押下されると、画像表示画面３は、アルバム集として設定された所定のフォルダが保持する画像データ２を表示するように構成されている。【００２５】
図７は、フォトアルバムコントローラ１が画像データ２及び属性情報４を表示した状態を示す。図７（ａ）は、属性情報表示画面５が表示する属性情報４としてフォルダ名を表示している状態を示し、図７（ｂ）は、属性情報４として画像データ２の撮影日付を表示している状態を示す。図７（ａ）において、画像表示画面３は、画像データ２を表示し、属性情報表示画面５は、属性情報４として画像データ２を保持するフォルダのフォルダ名「海水浴」を表示する。フォトアルバムコントローラ１は、画像データ２を保持するフォルダフォルダのフォルダ名がユーザによって変更されているとき、属性情報表示画面５にフォルダ名を表示するように構成されている。ここで、フォトアルバムコントローラ１は、フォルダ名がＥｘｉｆ機能によって付与されるフォーマット形式と一致しないときに、フォルダ名がユーザによって変更されたと判断する。【００２６】
図７（ｂ）において、画像表示画面３は、画像データ２を表示し、属性情報表示画面５は、属性情報４として画像データ２が撮影された撮影日付「２００７年８月１日」を表示する。フォトアルバムコントローラ１は、画像データ２を保持するフォルダ名がユーザによって変更されていないとき、属性情報表示画面５に撮影日付を表示するように構成されている。このように、フォトアルバムコントローラ１は、画像データ２が表示される画像表示画面３とは別に設けられた属性情報表示画面５に属性情報４を表示させることにより、画像データ２に重ねて属性情報４が表示されることよる画像データ２の一部欠損を回避することができる。ユーザは、良質な画像データ２と属性情報４を同時に視認することにより、画像データ２が撮影された状況や日時を知ることができるので、楽しみながら鑑賞ことができる。【００２７】
図８は、画像表示画面３が画像データ２を表示する表示処理のフローを示す。ユーザによって電源ボタン１２１ａが押下されると、ＣＰＵ１５は、主記憶部１６が最終表示状態として画像データ２及び属性情報４を記憶しているか否かを確認する（Ｓ１０１）。ここで、最終表示状態とは、フォトアルバムコントローラ１への電源の供給が停止されたときに画像表示画面３及び属性情報表示画面５に表示されていた画像データ２及び属性情報４である。ステップＳ１０１において、主記憶部１６が最終表示状態を記憶しているとき（Ｓ１０１でＹｅｓ）、属性情報表示画面５は、最終表示状態として記憶されている属性情報４を表示し（Ｓ１０２）、画像表示画面３は、最終表示状態として記憶されている画像データ２を表示する（Ｓ１１１）。これにより、ユーザは、電源ボタン１２１ａを押下することにより、前回、電源を落とした時点に表示されていた良質な画像データ２及び属性情報４をワンボタン操作という極めて簡単な操作で見ることができる。【００２８】
ステップＳ１０１において、主記憶部１６が最終表示状態を記憶していないとき（Ｓ１０１でＮｏ）、ＣＰＵ１５は、メモリカードスロット６乃至８のいずれかにメモリカード６ａ乃至８ａが挿入されているか否かを確認する（Ｓ１０３）。ステップＳ１０３において、メモリカードスロット６乃至８のいずれにもメモリカード６ａ乃至８ａが挿入されていないとき（Ｓ１０３でＮｏ）、ＣＰＵ１５は、属性情報表示画面５にメモリカード６ａ乃至８ａの挿入を促すメッセージを表示させ、メモリカード６ａ乃至８ａが挿入されるのを待つ（Ｓ１０４）。一方、ステップＳ１０３において、メモリカードスロット６乃至８のいずれかにメモリカード６ａ乃至８ａが挿入されているとき（Ｓ１０３でＹｅｓ）、ＣＰＵ１５は、メモリカード６ａ乃至８ａに保持されているフォルダの中から、１つのフォルダを特定する（Ｓ１０５）。ここで、特定されるフォルダとは、例えば、フォルダが作成された日付が最も古いフォルダである。【００２９】
次に、ＣＰＵ１５は、特定したフォルダのフォルダ名がユーザによって変更されているか否かを判断する（Ｓ１０６）。ＣＰＵ１５は、フォルダ名のフォーマット形式がＥｘｉｆ機能によって付与されるフォーマット形式と一致してないとき、フォルダ名がユーザによって変更されたと判断する。ステップＳ１０６において、ＣＰＵ１５は、フォルダ名がユーザによって変更されていると判断すると（Ｓ１０６でＹｅｓ）、属性情報表示画面５に属性情報４としてユーザによって変更されたフォルダ名を表示させる（Ｓ１０７）。次に、ＣＰＵ１５は、特定したフォルダが保持する画像データ２の中から１枚を特定し、画像表示画面３に表示させる（Ｓ１１１）。ここで、ＣＰＵ１５は、画像表示画面３に表示させる画像データ２として、例えば、最も撮影日付が古いものを特定するものとする。画像表示画面３及び属性情報表示画面５は、電源ボタン１２１ａが押下されると、場合に応じて画像データ２及びユーザによって変更されたフォルダ名を表示する。これにより、ユーザは、画像データ２に加えて、ユーザによって変更されたフォルダ名を視認することができるので、画像データ２が撮影された状況を容易に知ることができる。【００３０】
ステップＳ１０６において、ＣＰＵ１５は、フォルダ名がユーザによって変更されていないと判断すると（Ｓ１０６でＮｏ）、特定したフォルダが保持する画像データ２の中から１枚を特定する。ここで、ＣＰＵ１５は、画像表示画面３に表示させる画像データ２として、例えば、最も撮影日付が古いものを特定するものとする。ＣＰＵ１５は、特定した画像データ２の撮影日付が変更されているか否かを判断する（Ｓ１０８）。ここで、ＣＰＵ１５は、画像データ２の撮影日付がＥｘｉｆ機能によって付与されるフォーマット形式ではなく、「年」、「月」、または「日」を用いて表現されているとき、撮影日付が変更されたと判断する。ステップＳ１０８において、ＣＰＵ１５は、撮影日付が変更されていると判断すると（Ｓ１０８でＹｅｓ）、属性情報表示画面５に属性情報４として変更された撮影日付を表示させる（Ｓ１０９）。次に、ＣＰＵ１５は、特定した画像データ２を画像表示画面３に表示させる（Ｓ１１１）。【００３１】
ステップＳ１０８において、ＣＰＵ１５は、特定した画像データ２の撮影日付が変更されていないと判断すると（Ｓ１０８でＮｏ）、Ｅｘｉｆ機能によって付与されたままの撮影日付を、「年」、「月」、または「日」を用いて表現された撮影日付に変更する（Ｓ１１０）。このとき、ＣＰＵ１５は、変更した撮影日付を、Ｅｘｉｆ機能によって付与されたままの撮影日付に上書きすることにより、変更した撮影日付と画像データ２とを関連付ける。次に、ＣＰＵ１５は、属性情報表示画面５に属性情報４として変更した撮影日付を表示させ（Ｓ１０９）、特定した画像データ２を画像表示画面３に表示させる（Ｓ１１１）。画像表示画面３及び属性情報表示画面５は、電源ボタン１２１ａが押下されると、場合に応じて、画像データ２及び変更された撮影日付を表示する。これにより、属性情報表示画面５は、ユーザによって撮影日付が編集されなくても、「年」、「月」、または「日」を用いて撮影日付を表示することができる。また、ユーザは、画像データ２に加えて、「年」、「月」、または「日」を用いて表示された撮影日付を視認することができるので、画像データ２が撮影された時期を容易に知ることができる。【００３２】
画像表示画面３が画像データ２を表示し、属性情報表示画面５が、属性情報４として、フォルダ名または撮影日付を表示しているときに、電源ボタン１２１ａが押下されると（Ｓ１１２）、ＣＰＵ１５は、表示されている画像データ２及び属性情報４を最終表示状態として主記憶部１６に記憶させる（Ｓ１１３）。これにより、ユーザは、次回、電源ボタン１２１ａを押下することにより、電源を投入したとき、主記憶部１６が記憶する画像データ２及び属性情報４を見ることができる。ＣＰＵ１５は、主記憶部１６に最終表示状態を記憶させると、電源制御部２６に電源の供給を停止させて表示処理を終了する。【００３３】
次に、フォトアルバムコントローラ１のフォルダの取り扱いについて説明する。図９は、メモリカード６ａ乃至８ａにおけるフォルダ構成を示す。メモリカード６ａは、フォルダ名が「海水浴」であるフォルダ３３ａを保持し、メモリカード７ａは、フォルダ名が「海水浴」であるフォルダ３３ｂを保持し、メモリカード８ａは、フォルダ名が「運動会」であるフォルダ３３ｃを保持する。ここで、メモリカード６ａに保持されているフォルダ３３ａは、画像データ２ａ及び２ｂを保持し、メモリカード７ａに保持されているフォルダ３３ｂは、画像データ２ｃを保持する。メモリカード６ａ乃至８ａがメモリカードスロット６乃至８に挿入されると、ＣＰＵ１５は、メモリカード６ａ乃至８ａに保持さているフォルダ３３のフォルダ名が同一であるか否かをチェックする。【００３４】
ここで、フォルダ３３ａとフォルダ３３ｂのフォルダ名はいずれも「海水浴」である。フォルダ名が同一であるとき、ＣＰＵ１５は、物理的に異なるメモリカード６ａ及び７ａに保持されているフォルダ３３ａ及びフォルダ３３ｂを論理的に１つのフォルダ３４として取り扱う。例えば、ユーザによってフォルダ３３ａがアルバム集として設定され、アルバム集自動再生ボタン１２１ｂが押下されると、ＣＰＵ１５は、論理的なフォルダ３４に保持されている画像データ２ａ、２ｂ、及び２ｃを画像表示画面３に表示させる。また、例えば、フォルダ３３ａのフォルダ名がユーザによって「海水浴８月」に変更されると、ＣＰＵ１５は、論理的なフォルダ３４のフォルダ名が変更されたと判断して、フォルダ３３ｂのフォルダ名を「海水浴８月」に変更する。【００３５】
図１０は、アルバム集自動再生ボタン１２１ｂが押下されたときの画像表示画面３の状態を示す。アルバム集自動再生ボタン１２１ｂが押下されると、画像表示画面３は、メモリカード６ａ乃至８ａに保持されている全てのフォルダ３３についてのフォルダ情報をフォルダ３３が作成された順に並べて表示する。ここで、フォルダ情報とは、フォルダ名と、フォルダ３３が保持する画像データ２の中で最も撮影日付が古い画像データ２と、フォルダ３３が作成された作成日付である。また、画像表示画面３は、左端に表示されたフォルダ情報にカーソル３５を重ねて表示する。ユーザは、カーソル３５を視認することにより、フォルダ名が「海水浴」と付与されたフォルダ３３が選択されていることを知ることができる。このとき、属性情報表示画面５は、カーソル３５が重ねられているフォルダ３３のフォルダ名と作成日付を属性情報４として表示する。ユーザは、続けてアルバム集自動再生ボタン１２１ｂを押下することにより、カーソル３５を隣のフォルダ情報に移動させることができる。このように、ユーザは、繰り返しアルバム集自動再生ボタン１２１ｂを押下しカーソル３５を移動させることにより、所望するフォルダ３３を選択することができる。【００３６】
ＣＰＵ１５は、カーソル３５が１つのフォルダ情報に重ねられており、アルバム集自動再生ボタン１２１ｂが押下されない状態が一定時間継続すると、カーソル３５が重ねられているフォルダ情報に該当するフォルダ３３がユーザによって選択されたと判断する。ここで、一定時間とは、例えば、１０秒である。ＣＰＵ１５によって、フォルダ３３が選択されたと判断されると、画像表示画面３は、選択されたフォルダ３３に保持されている画像データ２を順次一定の間隔で表示する。ここで、一定の間隔とは、例えば、３秒である。属性情報表示画面５は、画像データ２が表示されている間、フォルダ名と作成日付を属性情報４として表示する。このように、ユーザは、アルバム集自動再生ボタン１２１ｂのみを操作するだけで、アルバム集として所望するフォルダ３３に保持された画像データ２とその属性情報４を画像表示画面３及び属性情報表示画面５に表示させることができる。【００３７】
図１１は、画像表示画面３がアルバム集を再生するアルバム集再生処理のフローである。ユーザによって、アルバム集自動再生ボタン１２１ｂが押下されると（Ｓ２０１）、ＣＰＵ１５は、画像表示画面３にメモリカード６ａ乃至８ａに保持されている全てのフォルダ３３についてのフォルダ情報とカーソル３５を表示させる（Ｓ２０２）。ＣＰＵ１５は、カーソル３５が１つのフォルダ情報に重ねられており、アルバム集自動再生ボタン１２１ｂが押下されない状態が一定時間経過するのを待ち続ける（Ｓ２０３でＮｏ）。ステップＳ２０３において、一定時間経過すると（Ｓ２０３でＹｅｓ）、画像表示画面３は、選択されたフォルダ３３が保持する画像データ２をアルバム集として順次一定の間隔で再生する（Ｓ２０４）。また、属性情報表示画面５は、フォルダ名と作成日付を属性情報４として表示する。次に、電源ボタン１２１ａが押下されると（Ｓ２０５）、ＣＰＵ１５は、表示されている画像データ２及び属性情報４を最終表示状態として主記憶部１６に記憶させ（Ｓ２０６）、アルバム集再生処理を終了する。【００３８】
図１２は、スライドショー自動再生ボタン１２１ｃが押下されたときの画像表示画面３の状態を示す。ここで、スライドショーとは、予め画像データ２とユーザによって画像データ２に付与されたコメントとを同時に画像表示画面３に表示させる機能をいう。また、スライドショーとして複数の画像データ２が設定されているとき、フォトアルバムコントローラ１は、画像データ２とコメントとを順次一定の間隔で表示する。スライドショー自動再生ボタン１２１ｃが押下されると、画像表示画面３は、画像データ２と、画像データのコメントとして付与された文章３６とを並べて表示する。このとき、属性情報表示画面５は、画像データ２及び文章３６に付与されたスライドショータイトルを属性情報４として表示する。ここで、付与されたスライドショータイトルは「ベスの絵日記」である。予め画像データ２と文章３６とがスライドショーとして設定されているとき、ユーザは、スライドショー自動再生ボタン１２１ｃを押下するだけで、画像データ２を絵日記のように楽しむことができる。また、ユーザは、画像データ２及び文章３６を楽しみながら、属性情報表示画面４に表示されたスライドショータイトルを確認することにより、スライドショーのカテゴリーを知ることができる。【００３９】
図１３は、画像表示画面３がスライドショーを再生するスライドショー再生処理のフローである。ユーザによって、スライドショー自動再生ボタン１２１ｃが押下されると（Ｓ３０１）、ＣＰＵ１５は、スライドショーが設定されているか否かを判断する（Ｓ３０２）。ここで、スライドショーについての設定情報は、主記憶部１６に記憶されているものとする。スライドショーが設定されているとき（Ｓ３０２でＹｅｓ）、ＣＰＵ１５は、画像表示画面３及び属性情報表示画面５にスライドショーを再生させる（Ｓ３０３）。このとき、スライドショーとて、画像データ２及び文章３６に加えて、メモリカード６ａ乃至８ａに保持されているオーディオが関連付けられていると、スピーカー１１は、関連付けられたオーディオを出力する。これにより、ユーザは、オーディオによる雰囲気を楽しみながらスライドショーを鑑賞することができる。次に、電源ボタン１２１ａが押下されると（Ｓ３０４）、ＣＰＵ１５は、表示されている画像データ２及び属性情報４を最終表示状態として主記憶部１６に記憶させ（Ｓ３０５）、スライドショー再生処理を終了する。ステップＳ３０２において、スライドショーが設定されていないとき（Ｓ３０２でＮｏ）、ＣＰＵ１５は、属性情報表示画面５にスライドショーが設定されていない旨のメッセージを表示させる（Ｓ３０６）。次に、電源ボタン１２１ａが押下されると（Ｓ３０７）、ＣＰＵ１５は、最終表示状態を主記憶部１６に記憶させることなくスライドショー再生処理を終了する。【００４０】
図１４は、ＭＥＮＵボタン１２３ｂが押下されたときの画像表示画面３の状態を示す。ユーザによってＭＥＮＵボタン１２３ｂが押下されると、画像表示画面３は、各種操作または設定を行うことができるメニューを表示する。ユーザは、十字ボタン１２３ｄでカーソル３５を移動させ、ＯＫボタン１２３ｃを押下してメニューを選択することにより、所望の操作または設定を行うことができる。このとき、属性情報表示画面５は、ユーザによって選択されたメニューについての説明メッセージや確認メッセージ等を表示する。ユーザは、属性情報表示画面５に表示されたメッセージを確認することにより、誤操作を回避することができる。【００４１】
図１５は、フォルダ名を変更するフォルダ名変更画面の状態を示す。ユーザは、ＭＥＮＵボタン１２３ｂを押下した後、フォルダ３３のフォルダ名を変更する操作を選択すると、画像表示画面３は、フォルダ名変更画面３７を表示させる。属性情報表示画面５は、フォルダ名変更画面３７が表示されていることを示すメッセージを表示する。フォルダ名変更画面３７は、Ｅｘｉｆ機能によって付与されたフォルダ３３の属性情報５を表示するＥＸＩＦ属性情報窓３８と、推薦タグ辞書部２８ｂに保持されている単語を表示する推薦辞書窓３９と、ユーザタグ辞書部２８ａに保持されている複数の単語を表示するユーザ辞書窓４０と、フォルダ名変更画面３７を切り替える次へボタン４１とで構成される。ＥＸＩＦ属性情報窓３８は、フォルダ３３がメモリカード６ａ乃至８ａのいずれに保持されているかを表示するカードＮｏ項目３８ａと、Ｅｘｉｆ機能によって付与されたフォルダ名を表示するフォルダ名項目３８ｂと、フォルダ３３のサイズを表示するサイズ項目３８ｃと、フォルダ３３に保持されている画像データ２が撮影された日付を表示する撮影日付項目３８ｄと、変更後のフォルダ名が入力されるフォルダ名入力項目３８ｅとで構成される。フォルダ名入力項目３８ｅは、ユーザによって文字が入力されるセル３８ｆを太枠で表示する。これにより、ユーザは、どのフォルダ３３のフォルダ名を変更しようとしているのかを認識することができる。【００４２】
推薦辞書窓３９は、予め設定されており、推薦タグ辞書部２８ｂに保持されている複数の単語を表示する。ユーザ辞書窓４０は、ユーザによってＡＮＫキー１２３ｇを用いて入力された複数の単語を表示する。ここで、推薦辞書窓３９に表示された単語「海水浴」には、カーソル３５が重ねられている。この状態で、ユーザは、ＯＫボタン１２３ｃを押下することにより、セル３８ｆに単語「海水浴」を入力することができる。このように、ユーザは、推薦辞書窓３９またはユーザ辞書窓４０に表示された単語を選択することにより、容易かつ迅速にセル３８ｆに文字を入力することができる。また、ユーザは、フォルダ名変更画面３７を利用することにより、Ｅｘｉｆ機能によって付与されたフォルダ３３のフォルダ名を、簡便に好みのフォルダ名に変更することができる。【００４３】
図１６は、スライドショータイトルを設定するスライドショータイトル設定画面の状態を示す。ユーザは、ＭＥＮＵボタン１２３ｂを押下した後、フォルダ３３に対してスライドショータイトルを設定する操作を選択すると、画像表示画面３は、スライドショータイトル設定画面４２を表示させる。属性情報表示画面５は、スライドショータイトル設定画面４２が表示されていることを示すメッセージを表示する。スライドショータイトル設定画面４２は、フォルダ名変更画面３７と同一の構成であるが、フォルダ名入力項目３８ｅに替えて、スライドショータイトルが入力されるタイトル入力項目３８ｇを備える。ここで、ユーザ辞書窓４０に表示された単語「ベス」には、カーソル３５が重ねられている。この状態で、ユーザは、ＯＫボタン１２３ｃを押下することにより、セル３８ｆに単語「ベス」を入力することができる。このように、ユーザは、スライドショータイトル設定画面４１を利用することにより、所望するフォルダ３３に対して好みのスライドショータイトルを設定することができる。【００４４】
図１７は、ユーザによって文章が入力される文章入力画面の状態を示す。ユーザは、ＭＥＮＵボタン１２３ｂを押下した後、画像データ２に関連付ける文章を入力する操作を選択すると、画像表示画面３は、文章入力画面４３を表示させる。属性情報表示画面５は、文章入力画面４３が表示されていることを示すメッセージを表示する。文章入力画面４３は、文章３６が関連付けられる画像データ２と、ユーザによって文章が入力される文章入力項目４４と、推薦辞書窓３９と、ユーザ辞書窓４０と、次へボタン４１とで構成される。画像表示画面３は、画像データ２と文章入力項目４２を左右に並べて表示し、画像データ２及び文章入力項目４４の下方に推薦辞書窓３９、ユーザ辞書窓４０、及び次へボタン４１を横一列に並べて表示する。ユーザは、推薦辞書窓３９、ユーザ辞書窓４０、またはＡＮＫキー１２３ｇを用いて文章入力項目４４に文章を入力することにより、図１２においてスライドショーとして表示される画像データ２と文章３６とを関連付けることができる。これにより、ユーザは、予めスライドショーを設定したフォトアルバムコントローラ１を家族や友人にプレゼントすることにより、ハードウェアとしてフォトアルバムコントローラ１のプレゼントに加え、画像データ２及び文章３６によるオリジナルのメッセージもプレゼントすることができる。【００４５】
このように、本実施形態においては、リモートコントローラ１２は、操作の難易度が異なる３種類のボタン群として、第１操作キー群１２１と、第２操作キー群１２２と、第３操作キー群１２３とを備える。これにより、ユーザは、操作可能なボタン群を使用することにより、自己の所望する操作を実現することができる。また、フォトアルバムコントローラ１は、フォルダ３３のフォルダ名が、ユーザによって付与されたものである場合、このフォルダ名を属性情報表示画面５に表示する。また、フォトアルバムコントローラ１は、所定の画像データ２の撮影日付を「年」、「月」、または「日」を用いて属性情報表示画面５に表示させる。これにより、ユーザは、ユーザによって変更されたフォルダ名または撮影日付を視認しつつ良質な画像データ２を鑑賞することができるため、画像データ２が撮影された状況または時期を容易に知ることができる。【００４６】
また、フォトアルバムコントローラ１は、物理的に異なるメモリカード６ａ乃至８ａのいずれかに保持されている複数のフォルダ３３のフォルダ名が同一であるとき、これら複数のフォルダ３３を論理的に１つのフォルダ３３として取り扱う。これにより、ユーザは、フォルダ管理を容易に行うことができる。さらに、フォトアルバムコントローラ１は、第３操作キー群１２３を用いてスライドショーが設定されることにより、単に画像データ２及び属性情報５に加え、画像データ２が撮影されたときの詳細な状況や感想などを文章３６として鑑賞することができる。【００４７】
なお、本発明は、上記実施形態の構成に限られず、種々の変形が可能であり、ＣＰＵ１５は、画像データ２の撮影日付を取り扱う構成ではなく、撮影日時を取り扱う構成であっても構わない。例えば、属性情報表示画面５は、属性情報４として「年」、「月」、または「日」を用いて撮影日付を表示することに替えて、「年」、「月」、「日」、「時」、「分」、または「秒」を用いて撮影日時を表示してもよい。また、ＣＰＵ１５は、画像データ２に対してＥｘｉｆ機能によって位置情報が付与されているとき、「北緯」、「南緯」、「東経」、「西経」、または「度」を用いて表現された位置情報に変更して画像データ２と関連付ける構成であっても構わない。また、属性情報表示画面５は、属性情報４として「北緯」、「南緯」、「東経」、「西経」、または「度」を用いて位置情報を表示させる構成であっても構わない。さらに、属性情報表示画面５は、属性情報４を静止させた状態で表示する構成ではなく、例えば、属性情報４をユーザからみて右側から左側へ向けてスクロール表示させる構成であっても構わない。
【図２】
2009157061.tif 000003
【図８】
2009157061.tif 000004
【図９】
2009157061.tif 000005
【図１１】
2009157061.tif 000006
【図１３】
2009157061.tif 000007
【図１】
2009157061.tif 000008
【図３】
2009157061.tif 000009
【図４】
2009157061.tif 000010
【図５】
2009157061.tif 000011
【図６】
2009157061.tif 000012
【図７】
2009157061.tif 000013
【図１０】
2009157061.tif 000014
【図１２】
2009157061.tif 000015
【図１４】
2009157061.tif 000016
【図１５】
2009157061.tif 000017
【図１６】
2009157061.tif 000018
【図１７】
2009157061.tif 000019
【国際調査報告】
2009157061.tif 000020
2009157061.tif 000021
2009157061.tif 000022
2009157061.tif 000023